(57)【要約】【課題】ロールスクリーンやローマンシェード等のスクリーン本体を上げ下げする操作装置及びそれを備えたスクリーン装置において、操作鎖または操作紐が取り扱い易く、操作性を良くしたものを提供する。【解決手段】スクリーン装置Ｓは、ヘッドボックス１と、スクリーン本体２と、スクリーン本体２を上げ下げするスクリーン操作装置３を備えている。スクリーン操作装置３は、スクリーン本体２より前方に突出するよう固定できる操作角調整部材３３と、この側部に重なるよう被せてあるカバー部材４４を備えており、この間には、スクリーン本体２の上げ下げを操作するボールチェーン３７が設けてある。ボールチェーン３７は、スクリーン本体２より前方に突出する部分から垂れ下がって、スクリーン本体２より手前側に配置されるようにしてある。【選択図】図１
2007126901.tif 000002
【特許請求の範囲】
【請求項１】
スクリーン操作装置であって、
スクリーン本体(2)の上げ下げを操作する操作鎖(37)または操作紐等の操作手段を備えており、当該操作手段が垂れ下がった状態でスクリーン本体(2)より手前側に配置することができるよう構成してあることを特徴とする、
スクリーン操作装置。
【請求項２】
スクリーン操作装置であって、
スクリーン本体(2)より前方に突出するよう固定できるケース部材を備えており、当該ケース部材には、スクリーン本体(2)の上げ下げを操作する操作鎖(37)または操作紐等の操作手段が、スクリーン本体(2)より前方に突出する部分から垂れ下がって、スクリーン本体(2)より手前側に配置することができるよう設けてあることを特徴とする、
スクリーン操作装置。
【請求項３】
スクリーン操作装置であって、
スクリーン本体(2)より前方に突出するよう固定できる第１のケース構成部材(33)と、
第１のケース構成部材(33)の側部に重なるよう被せてある第２のケース構成部材(34)と、
を備えており、
第１のケース構成部材(33)と第２のケース構成部材(34)の間には、
スクリーン本体(2)の上げ下げを操作する操作鎖(37)または操作紐等の操作手段と、
操作手段が動かされることにより、ヘッドボックス(1)内のシャフト(4)に回転力を与える伝達手段(35)と、
スクリーン本体(2)より前方に突出する部分に配置してあり、操作手段がスクリーン本体(2)より前方に突出する部分から垂れ下がって、スクリーン本体(2)より手前側に配置することができるよう案内する案内手段と、
を備えていることを特徴とする、
スクリーン操作装置。
【請求項４】
第１のケース構成部材(33)と第２のケース構成部材(34)は、重なった状態で回動することによってスクリーン本体(2)より前方に突出できるようヘッドボックス(1)の端部側に設けてあることを特徴とする、
請求項３記載のスクリーン操作装置。
【請求項５】
請求項２記載のスクリーン操作装置を構成するケース部材であって、
スクリーン本体(2)より前方に突出した状態で固定でき、スクリーン本体(2)の上げ下げを操作する操作鎖(37)または操作紐等の操作手段が、スクリーン本体(2)より前方に突出する部分から垂れ下がって、スクリーン本体(2)より手前側に配置することができるよう構成してあることを特徴とする、
スクリーン操作装置を構成するケース部材。
【請求項６】
請求項１，２または３記載のスクリーン操作装置(3)と、
当該スクリーン操作装置(3)によって上げ下げされるスクリーン本体(2)と、
を備えたことを特徴とする、
スクリーン装置。
【請求項７】
スクリーン本体の上げ下げを操作する方法であって、
スクリーン本体(2)より手前側に垂れ下がって配置された操作鎖(37)または操作紐等の操作手段を引き下げることによって、スクリーン本体(2)を上げ下げすることを特徴とする、
スクリーン本体の操作方法。
【発明の詳細な説明】
【技術分野】
【０００１】
本発明はスクリーン操作装置及びそれを備えたスクリーン装置、スクリーン本体の操作方法に関する。
更に詳しくは、ロールスクリーンやローマンシェード等のスクリーン本体を上げ下げする操作装置及びそれを備えたスクリーン装置において、操作鎖または操作紐が取り扱い易く、操作性を良くしたものに関する。
【背景技術】
【０００２】
従来から窓等には、日よけや目隠しのためのスクリーン装置が取り付けられている。このようなスクリーン装置のひとつとして、ロールスクリーンやローマンシェード等といった上げ下げによって開閉する形態を有するものがある。このタイプのスクリーン装置は、側方に設けられた操作鎖や操作紐を操作することで、スクリーン本体を下側から巻き上げたり、上方に設けたリールに巻き取ったり、下側から折り畳んで引き上げたりできる。例えば、特許文献１には、すだれを上方に設けたリールに巻き取るタイプのものが開示されている。
【０００３】
特許文献１に開示されたスクリーン装置は、上方に設けたリールの片端に滑車が固定してあり、この滑車の周縁部に無端状の操作紐が巻き掛けてある構造を有している。すだれ本体は、滑車から垂れ下がった操作紐の手前側や奥側を引き下げることによって上げ下げされる。
【０００４】
【特許文献１】実開昭５８−１３４５９２号公報
【発明の開示】
【発明が解決しようとする課題】
【０００５】
しかし、特許文献１に開示されたスクリーン装置には、次のような課題があった。
上記したスクリーン装置では、操作紐がリールの片端に固定してある滑車の周縁部に巻き掛けてあり、すだれ本体の手前側（表側）と奥側（裏側）に垂れ下がった構造を有している。そのため、すだれ本体の奥側に配置されている操作紐を引き下げる場合では、すだれ本体の奥側に手を入れてこの部分の操作紐を掴み、手前側に取り出してから引き下げていた。つまり、上記したスクリーン装置は、操作紐の上げ下げの際の操作性が悪かった。
【０００６】
特に、スクリーン装置は、日よけや目隠しを目的として窓等に取り付けられるので、通常、窓枠との間にできるだけ隙間が形成されないようにして設置されている。そのためスクリーン本体の奥側に配置されている操作紐は、より操作し難かった。
【０００７】
本発明の目的は、ロールスクリーンやローマンシェード等のスクリーン本体を上げ下げする操作装置及びそれを備えたスクリーン装置、スクリーン本体の操作方法において、操作鎖または操作紐が取り扱い易く、操作性の良いものを提供することにある。
【課題を解決するための手段】
【０００８】
上記目的を達成するために本発明が講じた手段は次のとおりである。
第１の発明にあっては、
スクリーン操作装置であって、
スクリーン本体の上げ下げを操作する操作鎖または操作紐等の操作手段を備えており、当該操作手段が垂れ下がった状態でスクリーン本体より手前側に配置することができるよう構成してあることを特徴とする、
スクリーン操作装置である。
【０００９】
第２の発明にあっては、
スクリーン操作装置であって、
スクリーン本体より前方に突出するよう固定できるケース部材を備えており、当該ケース部材には、スクリーン本体の上げ下げを操作する操作鎖または操作紐等の操作手段が、スクリーン本体より前方に突出する部分から垂れ下がって、スクリーン本体より手前側に配置することができるよう設けてあることを特徴とする、
スクリーン操作装置である。
【００１０】
第３の発明にあっては、
スクリーン操作装置であって、
スクリーン本体より前方に突出するよう固定できる第１のケース構成部材と、
第１のケース構成部材の側部に重なるよう被せてある第２のケース構成部材と、
を備えており、
第１のケース構成部材と第２のケース構成部材の間には、
スクリーン本体の上げ下げを操作する操作鎖または操作紐等の操作手段と、
操作手段が動かされることにより、ヘッドボックス内のシャフトに回転力を与える伝達手段と、
スクリーン本体より前方に突出する部分に配置してあり、操作手段がスクリーン本体より前方に突出する部分から垂れ下がって、スクリーン本体より手前側に配置することができるよう案内する案内手段と、
を備えていることを特徴とする、
スクリーン操作装置である。
【００１１】
第４の発明にあっては、
第１のケース構成部材と第２のケース構成部材は、重なった状態で回動することによってスクリーン本体より前方に突出できるようヘッドボックスの端部側に設けてあることを特徴とする、
第３の発明に係るスクリーン操作装置である。
【００１２】
第５の発明にあっては、
第２の発明に係るスクリーン操作装置を構成するケース部材であって、
スクリーン本体より前方に突出した状態で固定でき、スクリーン本体の上げ下げを操作する操作鎖または操作紐等の操作手段が、スクリーン本体より前方に突出する部分から垂れ下がって、スクリーン本体より手前側に配置することができるよう構成してあることを特徴とする、
スクリーン操作装置を構成するケース部材である。
【００１３】
第６の発明にあっては、
第１，第２または第３の発明に係るスクリーン操作装置と、
当該スクリーン操作装置によって上げ下げされるスクリーン本体と、
を備えたことを特徴とする、
スクリーン装置である。
【００１４】
第７の発明にあっては、
スクリーン本体の上げ下げを操作する方法であって、
スクリーン本体より手前側に垂れ下がって配置された操作鎖または操作紐等の操作手段を引き下げることによって、スクリーン本体を上げ下げすることを特徴とする、
スクリーン本体の操作方法である。
【００１５】
本発明で使用するスクリーン本体は、上げ下げによって開閉する形態を有するものであり、特に限定するものではないが、例えば、ロールスクリーン（ロールアップスクリーンを含む）やローマンシェード等を構成するものを挙げることができる。例えば、スクリーン本体は、紙、布（綿製、絹製、合成樹脂製のものを含む）、すだれ（簾）、これらの複合物で形成されたものがある。
【００１６】
操作手段としては、例えば、紐状のもの、帯状のもの、鎖状のもの、ワイヤー等を挙げることができるが、これに限定するものではない。
【００１７】
なお、特許請求の範囲及び次の作用の欄では、本発明の各構成要件のそれぞれに、後述する実施の形態において各部に付与した符号を対応させて付与して説明している。しかし、この符号の付与はあくまで説明の理解を容易にするためであって、各構成要件の上記各部への限定を意味するものではない。
【００１８】
（作  用）
本発明の作用を説明する。
本発明によれば、操作鎖(37)または操作紐等の操作手段が、垂れ下がった状態でスクリーン本体(2)より手前側に配置することができる。スクリーン本体(2)は、手前側に垂れ下がった操作手段を引き下げることにより上げたり下げたりが操作される。
【００１９】
ケース部材を備えたものは、操作鎖(37)または操作紐等の操作手段が、スクリーン本体(2)より前方に突出する部分から垂れ下がって、スクリーン本体(2)より手前側に配置することができる。
【００２０】
第１のケース構成部材(33)と第２のケース構成部材(34)を備えたものは、スクリーン本体(2)より前方に突出する部分から垂れ下がった操作鎖(37)または操作紐等の操作手段を引き下げることで、伝達手段(35)を介してヘッドボックス(1)内のシャフト(4)を回転させることができる。シャフト(4)が回転することによりスクリーン本体(2)を上げたり下げたりできる。
【００２１】
また、第１のケース構成部材(33)と第２のケース構成部材(34)は、重なった状態でスクリーン本体(2)より前方に突出できるよう回動することができる。
【発明の効果】
【００２２】
本発明によれば、操作鎖または操作紐等の操作手段が、垂れ下がった状態でスクリーン本体より手前側に配置することができるので、操作手段が掴み易い。従って、スクリーン本体の上げ下げにおいて、操作手段が取り扱い易く、操作性も良い。
【発明を実施するための最良の形態】
【００２３】
本発明の実施の形態を図面に基づき更に詳細に説明する。
図１は本発明に係るスクリーン装置の一実施の形態を示す斜視説明図、
図２は図１に示すスクリーン装置の分解斜視説明図、
図３は図１に示すスクリーン装置の側面図、
図４はスクリーン装置の要部を拡大して示す横断面説明図、
図５は図４に示すＡ−Ａ断面図である。
【００２４】
符号Ｓはスクリーン装置を示している。スクリーン装置Ｓは、取付具１０によって天井に固定される所要長さを有するヘッドボックス（フレーム）１と、ヘッドボックス１から垂れ下がるよう設けてあるスクリーン本体２と、ヘッドボックス１の一端（図１では右端）に取り付けてあり、スクリーン本体２の上げ下げを操作するスクリーン操作装置３を備えている。なお、ヘッドボックス１は他の取付具を用いることで壁面に固定することもできる。
【００２５】
本実施の形態で示すスクリーン装置Ｓは、スクリーン本体２を下側から折り畳んで引き上げるタイプのものを使用している。しかし、スクリーン装置はこれに限定するものではなく、例えば、スクリーン本体を下側から巻き上げるタイプ（ロールアップスクリーン）や上方に設けたリールに巻き取るタイプのものを使用することもできる。
【００２６】
ヘッドボックス１は、上部に設けた水平壁１６を介して前側に前壁１１を備え、後側に後壁１２を備えるよう側面視において略門型形状に形成してあり、更に、前壁１１と後壁１２の下端部からは、内方に向かい合うフランジ部１３，１３が全長にわたり設けられた形状を有している。符号１４はフランジ部１３，１３の間に形成された開口部を示している。
【００２７】
ヘッドボックス１の前壁１１と後壁１２には、上側と下側の二箇所にやや突出したリブ１１０、１２０が全長にわたり形成してある。前壁１１の上側と下側のリブ１１０，１１０で挟まれた間には、スクリーン本体２に設けてある取り付け手段（後述）と係合する取り付け手段である取り付け部材１５が全長にわたり設けてある。本実施の形態でヘッドボックス１に設ける取り付け部材１５は、面ファスナーを構成する一方の部材を使用している。しかし、取り付け手段はこれに限定するものではなく、例えば、接着剤、粘着テープ、ボタン、フック等、他の手段を使用することもできる。
【００２８】
ヘッドボックス１の前壁１１と後壁１２で囲まれた内部には、外形が六角形状を有するシャフト４が全長にわたって設けてある。シャフト４には、シャフト４と共に回転するよう固定してあり、引き上げ紐２０を巻き取るドラム部材４０（図１参照）が所要間隔を設けて複数設けてある（図１では一箇所しか表れていない）。
【００２９】
スクリーン本体２の上側部には、上記したヘッドボックス１の取り付け部材１５と係合する取り付け手段（図では見えない）である取り付け部材が全長にわたり設けてある。本実施の形態で取り付け部材は、面ファスナーを構成する他方の部材を使用している。しかし、取り付け手段はこれに限定するものではなく、例えば、接着剤、粘着テープ、ボタン、フック等、他の手段を使用することもできる。また、スクリーン本体２をヘッドボックス１に取り付けることができれば、取り付け手段はヘッドボックス１とスクリーン本体２の少なくとも何れか一方にだけ設けてあれば良い。
【００３０】
本実施の形態において示すスクリーン本体２は、構成材（線材）がヘッドボックス１の長さ方向と同じ方向に延びて複数並べて形成してあるすだれ（簾）を使用している。しかし、スクリーン本体２はこれに限定するものではなく、例えば、紙、布（綿製、絹製、合成樹脂製のものを含む）、これらの複合物で形成されたものが使用できる。
【００３１】
スクリーン操作装置３の構造について詳述する。
図２を参照する。スクリーン操作装置３は、一部をヘッドボックス１の端部内に差し込んで設けてある固定部材３０と、固定部材３０をヘッドボックス１に固定する固定具３１，３２と、固定部材３０に対して所要角度をもって取り付けられる操作角調整部材３３と、操作角調整部材３３の外側に設けられるカバー部材３４と、操作角調整部材３３とカバー部材３４の内部に設けられる滑車体３５，３６及び無端状のボールチェーン３７を備えている。なお、操作角調整部材３３は第１のケース構成部材を構成する。また、カバー部材３４は第２のケース構成部材を構成する。
【００３２】
固定部材３０は、ヘッドボックス１内の前壁１１と後壁１２間に略隙間なく嵌合される略四角短管状を有する嵌合部３００と、嵌合部３００の一端部に設けてあり、外径がヘッドボックス１の外形よりやや大きい略円環形状（ドーナツ形状）を有する固定環部３０１と、嵌合部３００の内部に設けてある円管状の管体３０２とを備えている。
【００３３】
管体３０２は、嵌合部３００と略同じ長さを有するよう形成してあり、内周面３０８（図４参照）が固定環部３０１の円形状の挿通孔３０３の内周面と連続した状態になるよう設けてある。また、嵌合部３００と管体３０２との間には、隙間を埋めるようリブ３０４（図４参照）が複数箇所に設けられている。
【００３４】
嵌合部３００のうちヘッドボックス１のフランジ部１３，１３と対応する壁部は、前壁１１や後壁１２と対応する壁部よりもやや延出した延設部３０５を有するよう形成されており、延設部３０５には貫通孔３０６が形成されている。
【００３５】
固定環部３０１の周縁部のうちヘッドボックス１に取り付けたときに下側となる部分（周縁部の下半分）には、固定部材３０に対して操作角調整部材３３を所要の角度で固定できるようにするためのネジ穴３０７が所要間隔で複数形成してある。固定部材３０を構成する嵌合部３００、固定環部３０１、管体３０２及びリブ３０４は、合成樹脂にて一体に形成されている。
【００３６】
操作角調整部材３３は、挿通孔３０３側から管体３０２内に差し込まれ、外周面が内周面３０８と摺動可能に設けられる円管状の摺動軸部３３０と、長円板形状を有する基盤３３１とを備えている。摺動軸部３３０は、基盤３３１の一方側に、開口部３３５を形成して設けてある。
【００３７】
基盤３３１の一方の面の周縁部には、カバー部材３４に形成してある嵌合凹部（後述）に差し込み可能な嵌合凸部３３３が所要間隔で５箇所に形成されている。嵌合凸部３３３の間には、操作角調整部材３３とカバー部材３４を合わせた状態で固定するためのネジＭ２を差し込む貫通孔３３４が２箇所に形成されている。
【００３８】
また、基盤３３１の端部側には、操作角調整部材３３とカバー部材３４を固定するネジＭ３を差し込む貫通孔３３７が形成されている。更に、この貫通孔３３７と開口部３３５の間の部分には、ネジ穴３０７にねじ込むネジＭ４を通すための貫通孔３３６が形成されている。操作角調整部材３３を構成する摺動軸部３３０、基盤３３１及び嵌合凸部３３３は、合成樹脂にて一体に形成されている。
【００３９】
滑車体３５は、開口部３３５側から摺動軸部３３０内に差し込まれ、外周面が摺動軸部３３０の内周面３３２と摺動可能に設けられる円管状の回転軸３５０と、この回転軸３５０の一端部に形成してある滑車部３５１を備えている。滑車部３５１は回転軸３５０の外径よりも径大である。滑車体３５は伝達手段を構成する。
【００４０】
回転軸３５０内の中心軸部は、シャフト４の端部が略隙間なく嵌合可能なよう嵌合部３５２が断面六角形状を有するよう形成されている。滑車部３５１は所要の厚みを有しており、周面部分には操作鎖（操作手段）であるボールチェーン３７のボール体３７０が引っ掛かって係合する係合凹部３５３が形成されている。係合凹部３５３は所要ピッチで７箇所に形成されている。
【００４１】
また、滑車部３５１の回転中心となる部分には軸受部３５４が形成されている。滑車体３５を構成する回転軸３５０と滑車部３５１は、合成樹脂にて一体に形成されている。
【００４２】
滑車体３６は、滑車体３５の滑車部３５１よりも径小に形成されており、所要の厚みを有する周面部分には、ボールチェーン３７のボール体３７０が引っ掛かって係合する係合凹部３６０が形成されている。係合凹部３６０は所要ピッチで５箇所に形成されている。また、滑車体３６の回転中心となる部分には、貫通した軸受部３６１が形成されている。
【００４３】
カバー部材３４は、操作角調整部材３３に重ねて被さった状態で取り付けられる長円板形状に形成された覆い板３４０を備えている。覆い板３４０の周縁部には、所要の厚み（高さ）を有しており、操作角調整部材３３に被せたときに、この厚みによってボールチェーン３７の通路を形成するスペーサ３４１が形成されている。スペーサ３４１は、操作角調整部材３３に重ねた際に、滑車部３５１の周りを取り囲み、滑車体３６の周りには配置されないよう、略馬蹄形状に形成されている。詳しくはスペーサ３４１は、図２及び図５に示すように、滑車体３６側の両端部側が内側に丸みをもって膨出しており、内周面が曲面となるよう形成されている。
【００４４】
スペーサ３４１の表面には、基盤３３１の嵌合凸部３３３が差し込み可能な嵌合凹部３４２が所要間隔で５箇所に形成されている。嵌合凹部３４２の間には、貫通孔３３４に差し込まれたネジＭ２がねじ込まれるネジ穴３４３が２箇所に形成されている。
【００４５】
また、覆い板３４０の貫通孔３３７と対応する部分には、滑車体３６を回転可能に軸支することのできる軸部３４５が表面から突出して設けられている。軸部３４５の内部には、貫通孔３３７に差し込まれたネジＭ３がねじ込まれるネジ穴３４４が形成されている。
【００４６】
スペーサ３４１で囲まれた内側の軸受部３５４と対応する部分には、この軸受部３５４に嵌合可能な軸部３４６が覆い板３４０より突出して形成されている。
【００４７】
また、軸部３４６と軸部３４５の間の部分には、貫通孔３３６と対応しており、ネジＭ４を通すことができるネジ挿通部３４７が突出して設けられている。カバー部材３４を構成する覆い板３４０、スペーサ３４１、軸部３４５、軸部３４６及びネジ挿通部３４７は、合成樹脂にて一体に形成されている。
【００４８】
スクリーン操作装置３の組み立てについて説明する。
まず、操作角調整部材３３の摺動軸部３３０内に、滑車体３５の回転軸３５０を開口部３３５側から差し込んで、滑車部３５１の側面と基盤３３１とを当接させる。滑車体３５は、回転軸３５０の外周面が内周面３３２と摺動するので、殆どぐらつくことなく回転可能である。
【００４９】
次に、基盤３３１の貫通孔３３７に軸受部３６１が合うよう滑車体３６を設け、係合凹部３５３と係合凹部３６０にボール体３７０が引っ掛かるようボールチェーン３７を滑車部３５１と滑車体３６の外側に巻き掛ける。
【００５０】
この状態でカバー部材３４を操作角調整部材３３に被せて、滑車部３５１の周りとスペーサ３４１との間にボールチェーン３７が移動可能な空間部を形成し、その空間部にボールチェーン３７を配置した状態にする。詳しくは、カバー部材３４と操作角調整部材３３は、軸部３４６を滑車部３５１の軸受部３５４に差し込み、基盤３３１の嵌合凸部３３３を覆い板３４０の嵌合凹部３４２に嵌め入れ、ネジ挿通部３４７と貫通孔３３６とを対応させ、更に、滑車体３６が回転可能なよう軸部３４５を軸受部３６１に差し込んで重ね合わせた状態にする。
【００５１】
重ね合わせたカバー部材３４と操作角調整部材３３は、操作角調整部材３３の摺動軸部３３０側からネジＭ２を貫通孔３３４に通してネジ穴３４３にねじ込み、ネジＭ３を貫通孔３３７に通してネジ穴３４４にねじ込むことで外れないよう固定される。
【００５２】
カバー部材３４が取り付けられた操作角調整部材３３は、固定部材３０の管体３０２内に摺動軸部３３０が挿通孔３０３側から差し込まれて、基盤３３１の摺動軸部３３０が設けられた側の側面を固定環部３０１に当接させて取り付けられる。摺動軸部３３０は外周面が管体３０２の内周面３０８と摺動した状態となるので、殆どぐらつくことなく回転可能である。
【００５３】
固定部材３０に取り付けられた操作角調整部材３３には、抜け防止のための抜け止めリング５が取り付けられる（図４参照）。抜け止めリング５は、摺動軸部３３０の外径よりやや小さい内径を有する金属製の環体であり、管体３０２を抜けて出た摺動軸部３３０の外周部の周りに、内縁部を圧接させて取り付けられる。抜け止めリング５は、リブ３０４の端部に実質的に当接する位置に配置される。
【００５４】
固定部材３０は、固定環部３０１が当たって止まる位置まで嵌合部３００をヘッドボックス１内に差し込み、固定具３１を開口部１４からヘッドボックス１内に入れて延設部３０５上に載せた状態にし、延設部３０５と対応するヘッドボックス１の外側に固定具３２をフランジ部１３，１３間に跨るよう設ける。そして、外側（下側）からネジＭ１を固定具３２、延設部３０５の貫通孔３０６を通して固定具３１にねじ込み、固定具３１と固定具３２でフランジ部１３，１３を挟み込むことでヘッドボックス１に固定した状態で取り付けられる。このとき回転軸３５０の嵌合部３５２には、シャフト４の端部が略隙間なく嵌った状態になっている。
【００５５】
固定部材３０がヘッドボックス１に取り付けられた状態において、一体となった操作角調整部材３３とカバー部材３４は、摺動軸部３３０の外周面が管体３０２の内周面３０８と摺動して回転可能である。操作角調整部材３３とカバー部材３４は、カバー部材３４の外方からネジＭ４をネジ挿通部３４７と貫通孔３３６に通して、固定環部３０１に複数形成されたいずれか任意のネジ穴３０７にねじ込むことで、一体化した状態で所要の回動角度で固定される。本実施の形態で示すスクリーン装置Ｓは、操作角調整部材３３とカバー部材３４の先部側（滑車体３６が内蔵された側）が、前方に略水平な状態でスクリーン本体２より突出する位置で固定してある。
【００５６】
（作  用）
図１ないし図５を参照し、本実施の形態で示すスクリーン装置Ｓの作用を説明する。
本実施の形態で示すスクリーン装置Ｓは、ネジＭ４をねじ込むネジ穴３０７の位置を調整することで、操作角調整部材３３とカバー部材３４が前方に略水平な状態でスクリーン本体２より突出する位置で固定してある。従って、操作角調整部材３３とカバー部材３４の間に配置されたボールチェーン３７は、前方に突出した部分に内蔵してある滑車体３６の前部と、スペーサ３４１の端部から垂れ下がっており、スクリーン本体２より手前側に配置された状態となる（図３参照）。
なお、ボールチェーン３７が垂れ下がる滑車体３６の前部とスペーサ３４１の端部は、案内手段を構成する。
【００５７】
スクリーン装置Ｓは、ボールチェーン３７のうち、滑車体３６の前部から垂れ下がった部分、または滑車体３６より後部にあたるスペーサ３４１の端部から垂れ下がった部分のいずれかを下方に引くことにより、スクリーン本体２が上げ下げされる。
【００５８】
具体的には、垂れ下がったボールチェーン３７の手前側または奥側を引き下げることにより、ボール体３７０が係合凹部３５３と係合凹部３６０に引っ掛かって係合していることから滑車体３５と滑車体３６が回転する。滑車体３５が回転することにより、回転軸３５０の嵌合部３５２に嵌ったシャフト４も回転する。シャフト４が回転することにより、引き上げ紐２０がドラム部材４０に巻き取られたり、ドラム部材４０から繰り出されたりする。こうしてスクリーン本体２が上げ下げされる。なお、スクリーン本体２を所要の位置で停止させる停止機構については、詳細な説明を省略したが公知技術のものが採用される。
【００５９】
スクリーン装置Ｓは、上記したようにボールチェーン３７がスクリーン本体２より手前側で垂れ下がった構造を有している。そのため奥側から垂れ下がったボールチェーン３７でも掴み易い。つまり、スクリーン装置Ｓは、スクリーン本体２の上げ下げにおいて、ボールチェーン３７が取り扱い易く、操作性も良い。
【００６０】
なお、本実施の形態では、操作角調整部材３３とカバー部材３４が前方に略水平な状態でスクリーン本体２より突出するようにしたが、これはネジＭ４をねじ込むネジ穴３０７によって変えることができる。つまり、固定位置は、使用者が使いやすい用に任意に設定できる。
【００６１】
また、スクリーン操作装置３は、ネジＭ４を一旦ネジ穴３０７から外し、一体となった操作角調整部材３３とカバー部材３４を摺動軸部３３０を中心として後壁１２側に回動させ、そして再び、ネジＭ４を対応するネジ穴３０７にねじ込んで操作角調整部材３３とカバー部材３４を所要の角度で固定することもでき、後壁１２が前側となるようにして使用することもできる。なお、この場合、スクリーン本体２は前壁１１に取り付けた状態でも良いし、後壁１２につけ替えても良い。
【００６２】
本実施の形態では操作鎖としてボールチェーン３７を使用したが、操作鎖はシャフト４を回転させることができれば、形状や種類等は特に限定するものではない。例えば、ボール体を備えないもの等を使用することもできる。また、場合によっては無端状でなくても良い。更に、滑車体についても操作鎖や操作紐等の操作手段によってシャフト４を回転させることができれば、形状や種類等は特に限定するものではない。
【００６３】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００６４】
【図１】本発明に係るスクリーン装置の一実施の形態を示す斜視説明図。
【図２】図１に示すスクリーン装置の分解斜視説明図。
【図３】図１に示すスクリーン装置の側面図。
【図４】スクリーン装置の要部を拡大して示す横断面説明図。
【図５】図４に示すＡ−Ａ断面図。
【符号の説明】
【００６５】
Ｓ  スクリーン装置
Ｍ１，Ｍ２．Ｍ３．Ｍ４  ネジ
１  ヘッドボックス
１０  取付具
１１  前壁
１１０  リブ
１２  後壁
１２０  リブ
１３  フランジ部
１４  開口部
１５  取り付け部材
１６  水平壁
２  スクリーン本体
２０  引き上げ紐
３  スクリーン操作装置
３０  固定部材
３００  嵌合部
３０１  固定環部
３０２  管体
３０３  挿通孔
３０４  リブ
３０５  延設部
３０６  貫通孔
３０７  ネジ穴
３０８  内周面
３１  固定具
３２  固定具
３３  操作角調整部材
３３０  摺動軸部
３３１  基盤
３３２  内周面
３３３  嵌合凸部
３３４  貫通孔
３３５  開口部
３３６  貫通孔
３３７  貫通孔
３４  カバー部材
３４０  覆い板
３４１  スペーサ
３４２  嵌合凹部
３４３  ネジ穴
３４４  ネジ穴
３４５  軸部
３４６  軸部
３４７  ネジ挿通部
３５  滑車体
３５０  回転軸
３５１  滑車部
３５２  嵌合部
３５３  係合凹部
３５４  軸受部
３６  滑車体
３６０  係合凹部
３６１  軸受部
３７  ボールチェーン
３７０  ボール体
４  シャフト
４０  ドラム部材
５  抜け止めリング
【図１】
2007126901.tif 000003
【図２】
2007126901.tif 000004
【図３】
2007126901.tif 000005
【図４】
2007126901.tif 000006
【図５】
2007126901.tif 000007